(57)【要約】コンプレッサが、コンプレッサの動作のログを作成並びにストアすることによって制御される。さらに、コンプレッサの動作は、センサの故障に応答して、コンプレッサの動作のログから選択される。さらに、また、このコンプレッサは、センサの故障に応答して選択されたコンプレッサの動作に従って変調される。【特許請求の範囲】
【請求項１】
コンプレッサの動作のログを作成する工程と、
前記コンプレッサの動作のログをストアする工程と、
センサの故障に応答して、前記コンプレッサの動作のログからコンプレッサの動作を選択する工程と、
前記センサの故障に応答して選択された前記コンプレッサの動作に従って、コンプレッサを変調する工程とを具備する、コンプレッサを制御する方法。
【請求項２】
前記コンプレッサの動作を選択する工程は、前記コンプレッサの動作のログを、コンプレッサの動作の予め設定された範囲に対して評価することと、
前記コンプレッサの動作のログに応答して選択されたコンプレッサの動作が、前記コンプレッサの動作の予め設定された範囲外である場合に、既定のコンプレッサの動作を設定することとをさらに有している請求項１の方法。
【請求項３】
デログカウンタに依存したデログ動作に応答して、前記コンプレッサを制御することをさらに具備し、このデログカウンタは、予め設定されたデログの経過時間に応答して、デログサイクルを開始するように設定されている請求項１の方法。
【請求項４】
デフロストカウンタに依存したデフロスト動作に応答して前記コンプレッサを制御することをさらに具備し、このデフロストカウンタは、予め設定されたデフロストの経過時間に応答して、デフロストサイクルを開始させるように設定されている請求項１の方法。
【請求項５】
短いサイクルのカウンタに依存した短いサイクルの動作に応答して前記コンプレッサを制御することをさらに具備し、この短いサイクルのカウンタは、予め設定された短いサイクルの経過時間に応答して、前記コンプレッサの変調を実質的に阻止するように設定されている請求項１の方法。
【請求項６】
センサの故障に応答してアラームシステムを駆動させることをさらに具備する請求項１の方法。
【請求項７】
イベントをコンプレッサの動作に関連付けることと、
前記イベントと、これに関連付けられた前記コンプレッサの動作状態とを、前記コンプレッサの動作のログにストアすることと、
前記他のイベントの発生に応答して、前記関連付けられたコンプレッサの動作に従って変調するように前記コンプレッサを制御することとをさらに具備する請求項１の方法。
【請求項８】
前記イベントは、ドアの開成イベントを有している請求項７の方法。
【請求項９】
冷凍用のコンプレッサと、
このコンプレッサを制御することに関連付けられたコンプレッサのデータをストアするように設定された記憶部と、
キャビネット内の環境状態に関連付けられた測定結果を伝送するように設定された第１のセンサと、
前記コンプレッサと、前記記憶部と、前記第１のセンサとに動作的に接続されたコントローラとを具備し、このコントローラは、前記第１のセンサの故障に応答して、前記コンプレッサのデータに従って前記コンプレッサを変調するように設定されている装置。
【請求項１０】
前記コントローラと前記コンプレッサとの間に動作可能に配置されたリレーをさらに具備し、このリレーは、前記コントローラから受け取った比較的小さい電流に応答して、前記コンプレッサに関連した比較的大きい電流に変調するように設定されている請求項９の装置。
【請求項１１】
前記コントローラは、コンプレッサの動作の予め設定された範囲に対して前記データを評価し、このデータが、コンプレッサの動作の予め設定された範囲外であることに応答して、前記コンプレッサを既定のコンプレッサの動作に基づいて変調するようにさらに設定されている請求項９の装置。
【請求項１２】
予め設定されたデログの経過時間に応答してデログサイクルを開始させるように設定されたデログカウンタをさらに具備しており、このデログカウンタは、前記コントローラに動作可能に接続され、このコントローラは、前記デログカウンタに応答して、前記コンプレッサをデログ動作に基づいて変調するようにさらに設定されている請求項９の装置。
【請求項１３】
予め設定されたデフロストの経過時間に応答してデフロストサイクルを開始させるように設定されたデフロストカウンタをさらに具備しており、このデフロストカウンタは、前記コントローラに動作的に接続され、このコントローラは、前記デフロストカウンタに応答して、前記コンプレッサをデフロスト動作に基づいて変調するようにさらに設定されている請求項９の装置。
【請求項１４】
予め設定された短いサイクルの経過時間に応答して前記コンプレッサの変調を実質的に阻止するように設定された短いサイクルのカウンタをさらに具備しており、この短いサイクルのカウンタは、前記コントローラに動作的に接続され、前記コントローラは、前記短いカウンタに応答して、前記コンプレッサを変調するようにさらに設定されている請求項９の装置。
【請求項１５】
使用者にアラーム状態を知らせる機能を有するように設定されたアラームをさらに具備し、このアラームは、前記コントローラに動作的に接続されており、前記コントローラは、センサの故障に応答して前記アラームを駆動させるように設定されている請求項９の装置。
【請求項１６】
ドアに関連付けられたドア読み取り結果を前記コントローラに伝送するように設定された第２のセンサをさらに具備しており、前記コントローラは、前記第１のセンサが機能可能していることに応答して、前記ドアの読み取り結果を前記コンプレッサのデータに関連付け、コンプレッサのデータに関連付けられた前記ドア読み取り結果を記憶部にストアさせるように設定されている請求項９の装置。
【請求項１７】
前記コントローラは、前記ドア読み取り結果の他の発生と前記第１のセンサの故障とに応答して、前記ドア読み取り結果に関連した前記コンプレッサのデータに従って前記コンプレッサを変調するように設定されている請求項１６の装置。
【請求項１８】
環境状態に関連した環境測定結果を前記コントローラに伝送するように設定された第３のセンサをさらに具備しており、前記コントローラは、前記第１のセンサが動作状態であることに応答して、前記環境測定結果を前記コンプレッサのデータに関連付け、コンプレッサのデータに関連付けられた前記環境測定結果を前記記憶部にストアさせるように設定されている請求項９の装置。
【請求項１９】
前記コントローラは、さらなる環境測定結果と前記第１のセンサの故障とに応答して、前記環境測定結果に関連した前記コンプレッサのデータに従って前記コンプレッサを変調するように設定されている請求項１８の装置。
【請求項２０】
コンプレッサの動作のログを作成するための手段と、
前記コンプレッサの動作のログをストアするための手段と、
センサの故障に応答して、前記コンプレッサの動作のログから選択されるコンプレッサの動作を選択するための手段と、
センサの故障に応答して選択された前記コンプレッサの動作に従って、前記コンプレッサを変調するための手段とを具備する装置。
【請求項２１】
前記コンプレッサの動作を選択するための手段は、前記コンプレッサの動作のログを、コンプレッサの動作の予め設定された範囲に対して評価するための手段と、
前記コンプレッサの動作のログに応答して選択されたコンプレッサの動作が、前記コンプレッサの動作の予め設定された範囲外である場合に、既定のコンプレッサの動作を設定するための手段とをさらに有している請求項２０の装置。
【請求項２２】
デログカウンタに依存したデログ動作に応答して前記コンプレッサを制御するための手段をさらに具備しており、このデログカウンタは、予め設定されたデログの経過時間に応答してデログサイクルを開始させるように設定されている請求項２０の装置。
【請求項２３】
デフロストカウンタに依存したデフロスト動作に応答して前記コンプレッサを制御するための手段をさらに具備しており、このデフロストカウンタは、予め設定されたデフロストの経過時間に応答してデフロストサイクルを開始させるように設定されている請求項２０の装置。
【請求項２４】
短いサイクルのカウンタに依存した短いサイクルの動作に応答して前記コンプレッサを制御するための手段をさらに具備しており、この短いサイクルのカウンタは、予め設定された短いサイクルの経過時間に応答して前記コンプレッサの変調を実質的に阻止するように設定されている請求項２０の装置。
【請求項２５】
センサの故障に応答してアラームシステムを駆動させるための手段をさらに具備する請求項２０の装置。
【請求項２６】
コンプレッサの動作にイベントを関連付けるための手段と、
前記イベントと、関連付けられた前記コンプレッサの動作とを、コンプレッサの動作のログにストアするための手段と、
前記イベントの他の発生結果に応答して、前記関連付けられたコンプレッサの動作に従って変調するように前記コンプレッサを制御するための手段とをさらに具備する請求項２０の装置。
【請求項２７】
前記イベントを関連付けるための手段は、ドアの開成のイベントを関連付けるための手段をさらに有している請求項２６の装置。
【発明の詳細な説明】
【技術分野】
【０００１】
本発明は、一般的に、冷凍システムに関する。より詳細には、本発明は、冷凍システムにおけるセンサの故障に応答して動作するコンプレッサに関する。
【背景技術】
【０００２】
本出願は、出願番号が１０/４２０，７５４であり、タイトルが、“センサの故障の後のコンプレッサの動作(COMPRESSOR OPERATION FOLLOWING SENSOR FAILURE)”である、２００３年４月２３日付けの米国特許出願に基づく優先権を主張している。
【０００３】
冷凍システムにおいて、冷媒ガスが、コンプレッサユニット内で圧縮される。そして、圧縮によって発生される熱は、圧縮されたガスを水冷又は空冷のコンデンサコイルに通すことによって一般的に取り除かれる。次に、冷却並びに凝縮されたガスは、エバポレーターコイル中で急速に膨張し、このガスはさらに冷たくなり、かくして、コイルと、コイルが周りに配置されている冷凍システムボックスの内部とは冷却されることができる。
【０００４】
生命科学研究者らは、生体並びに生物活性試薬のような製品を保存するための超低温(“ULT”)の貯蔵チャンバを必要としている。これら製品は、誤って温められると、機能性を失い、即ち生物学的に不活性になり得るので、研究者らは、製品が温められるのを最小にする必要もある。これに関して、冷凍システムボックス、即ちキャビネット内が、予め設定された温度の範囲内にあるかどうかを決定するために、センサが一般的に使用される。感知された温度が、予め設定された温度の範囲外であることに応答して、コントローラは、代表的に、適切な温度の変更をもたらすようにコンプレッサを変調する。例えば、温度が、予め設定された範囲の温度より高い場合、コントローラがコンプレッサを変調し、速度を変える、即ち速度を上げる。
【発明の開示】
【発明が解決しようとする課題】
【０００５】
このようなＵＬＴフリーザーに生じる問題は、センサが故障したときに、コントローラがコンプレッサを誤って変調して、温度が、予め設定された温度の範囲から外れ得ることである。知られたＵＬＴフリーザーは、潜在的な問題を使用者に知らせるように設計されたアラームシステムを代表的に有している。このようなフリーザーは、また、既定の動作をしばしば有している。この既定の動作は、一般的に、比較的狭い範囲の動作状態にのみ適切である。このようなＵＬＴフリーザーは、通常、遠いエリアに配置されているので、警報システムが、長期間に渡って気付かれない可能性がある。かくして、既定の動作が最適な状態となる比較的狭い範囲に動作状態がないと、温度が予め設定された温度の範囲から外れ、ＵＬＴフリーザーの内容物が使えなくなり得る。
【０００６】
さらに、予め設定された範囲からずれた温度は、内容物にとって好ましくないだけでなく、温度が予め設定された範囲の温度より低くなると、冷凍ユニットが、設計されたものよりもより連続的なベースで動作しなければならないために、冷凍ユニットへの負荷が大きくなる。負荷がこのように大きいと、コンプレッサの寿命が短くなるかコンプレッサの故障が生じかねない。
【課題を解決するための手段】
【０００７】
従って、本発明の特徴は、コンプレッサを制御する方法を提供していることである。この方法で、コンプレッサの動作のログが、作成並びにストアされる。さらに、コンプレッサの動作が、センサの故障に応答して、前記コンプレッサの動作のログから選択される。さらに、このコンプレッサは、センサの故障に応答して選択されたコンプレッサの動作に従って変調される。
【０００８】
本発明の別の特徴は、コンプレッサを制御するための装置に関する。この装置は、冷凍用のコンプレッサと、コンプレッサを制御することに関連したコンプレッサのデータをストアするように設定された記憶部とを有している。さらに、この装置は、キャビネット内の環境状態に関連した測定結果を伝送するように設定された第１のセンサと、コンプレッサと記憶部と第１のセンサとに動作的に接続されたコントローラとを有している。さらに、第１のセンサの故障に応答して、コントローラは、コンプレッサのデータに従ってコンプレッサを変調するように設定されている。
【０００９】
本発明のさらに別の特徴は、コンプレッサを制御するための装置に関する。この装置は、コンプレッサの動作のログを作成並びにストアするための手段を有している。さらに、この装置は、センサの故障に応答してコンプレッサの動作を選択するための手段を有している。このコンプレッサの動作は、コンプレッサの動作のログから選択される。この装置は、センサの故障に応答して選択されたコンプレッサの動作に従って、コンプレッサを変調するための手段をさらに有している。
【００１０】
以下に続く本発明の詳細な説明がより良く理解され、この技術に対する現在の貢献がより良く評価され得るように、本発明のより重要な特徴がややおおざっぱに要約されている。もちろん、以下に説明され、添付の請求項の主題をなすであろう本発明の更なる特徴がある。
【００１１】
これに関して、本発明の少なくとも１つの実施形態を詳細に説明する前に、本発明が、詳細な構造と、以下の説明で述べられる部品の配置とに関して、この出願に限定されないことは理解される。本発明は、他の実施形態を可能にし、様々な方法で実施並びに実行されることができる。また、この明細書に使用されている用語、術語、並びに要約は、説明を目的としているのであって、限定と見なされるべきでないことは理解される。
【００１２】
このように、この開示が基礎にしている概念が、本発明の様々な目的を実行するための他の構造、方法、システムの設計を基礎にして簡単に利用され得ることを、この分野の熟練者は評価するであろう。従って、請求項は、本発明の精神並びに範囲から逸脱しない限り、同等の構造を有すると見なされることが重要である。
【発明を実施するための最良の形態】
【００１３】
図において、図１には、本発明の一実施形態に従ったフリーザーユニット１０のシステム構造が示されている。このフリーザーユニット１０は、フリーザーサブユニット１２と制御システム１４とを有している。このフリーザーサブユニット１２は、貯蔵空間を与えるように構成されたキャビネット１６を有している。これに関して、このキャビネット１６は、エバポレーター１８内での冷媒の蒸発作用によって冷却される。このエバポレーター１８は、前記キャビネット１６に関連して配置されることができ、即ちキャビネット１６に熱的に取着されていることがより好ましい。例えば、前記エバポレーター１８は、金属のような熱伝導性の材料によって、キャビネット１６に取着されることができる。好ましい一実施形態において、前記冷媒は、コンプレッサ２０によって圧縮され、コンデンサ２２内で凝縮される。
【００１４】
このフリーザーサブユニット１２は、少なくとも１つのキャビネットセンサ２４をさらに有している。キャビネットセンサ２４は、前記キャビネット１６内の環境状態を感知する。例えば、キャビネットセンサ２４は、温度、湿度、霜の堆積等のうち少なくとも１つを感知することができる。前記フリーザーサブユニット１２は、また、他のキャビネットセンサ２６を任意に有することができる。このキャビネットセンサ２６は、例えば、平均的な環境状態の決定、並びに/若しくはキャビネットセンサ２４の測定結果の確認のために、キャビネットセンサ２４と関連して使用されることができる。さらに、このキャビネットセンサ２６は、主要なセンサが故障した場合のバックアップセンサとして機能することができる。
【００１５】
前記フリーザーユニット１０は、前記キャビネット１６内の温度を、予め設定された範囲内の所定の温度(“Tset”)にほぼ維持するように構成されている。これに関して、前記制御システム１４は、リレー３０を介して前記コンプレッサ２０を制御するように構成されたコントローラ２８を有している。さらに、このコントローラ２８は、前記キャビネットセンサ２４並びに/若しくは２６からの測定結果、即ち信号を受けて、この受けた測定結果に応答して前記コンプレッサ２０の動作を変調するように構成されている。このようにして、前記キャビネット１６内の温度は、前記予め設定された範囲内の温度Tsetにほぼ維持されることができる。
【００１６】
さらに、前記制御システム１４は、前記コントローラ２８のためのデータのストア並びに検索をするように動作可能な記憶装置３２を有している。本発明の好ましい一実施形態において、デューティーサイクル、タイムオン、タイムオフ、速度、圧力等のコンプレッサの動作状態が、コンプレッサのログ（“log”）３４の形態で、前記記憶装置３２にストアされる。このログ３４は、コンプレッサの動作の古い順のリスト(chronologically ordered list)を有していることが好ましい。所定のセンサが故障した場合、前記コントローラ２８は、前記記憶装置３２にアクセスして、比較的最近ストアされたコンプレッサの動作状態（“ログ動作(logged operation)”）を前記ログ３４から検索するように構成されている。一般的に、前記キャビネット１６内のペイロード並びに環境温度のような状態は、最近経験したこれら状態に類似するようになると考えられる。かくして、最近経験した状態の間にコンプレッサ２０を制御するのに使用されるコンプレッサの動作状態は、既定の動作よりも実際の状態に非常に近い。
【００１７】
前記コントローラ２８は、さらに、ログ動作を評価するように構成されることができる。例えば、ログ動作は、コンプレッサの動作の予め設定された範囲と比較されることができ、このログ動作がこの予め設定された範囲外であった場合には、コンプレッサの他の動作が使用されることができる。このコンプレッサの動作の予め設定された範囲は、基本的に全ての適切な状態のコンプレッサの動作を含んでいることが好ましい。具体的な例において、２：１ないし７：１のオン：オフの比を有するデューティーサイクルは、前記キャビネット１６を前記温度Tsetに維持すると当然考えられることができる。かくして、ログ動作がこの所定の範囲外である場合、オンの状態が２０分、オフの状態が８分（２．５：１）の既定のデューティーサイクルがこの例に用いられる。この既定のデューティーサイクルは、ログのデータが不適切、若しくはエラーと考えられる決定の後にだけ使用され、第２のレベルのリダンダンシーを与える。既定モードの動作は、比較的厳しい環境状態で動作するように、特定のキャビネット温度を対象にして決定されることができる。本発明の実施形態において、前記コントローラ２８は、新しい順に前記ログ３４にアクセスし、ログ動作がコンプレッサの動作の予め設定された範囲内であると識別されるまで、各ログ動作を評価するように構成されている。このコントローラ２８は、さらに、ログ動作がコンプレッサの動作の予め設定された範囲内であると識別されなかった場合には、既定のコンプレッサの動作を用いるように構成されている。さらに、前記記憶装置３２は、既定のコンプレッサの動作、コンプレッサの動作の予め設定された範囲、環境状態、所定の温度、ドアのイベント(door events)等の様々なデータ形式をストア並びに検索することができる。
【００１８】
本発明の好ましい実施形態において、前記制御システム１４は、さらに、複数の夫々のコンプレッサ動作を開始させるように構成されている複数のカウンタ３６，３８を有している。これら複数のカウンタは、短いサイクルのカウンタ３６と、デログ/デフロスト(delog/defrost)のカウンタ３８とを含んでいる。前記コンプレッサ２０がオン/オフされるたびに、この短いサイクルのカウンタ３６は、予め設定された値からカウントダウンを始めるように設定されている（“shortcount”）。このshortcountは、過度の頭部圧力がコンプレッサ２０から分散されるために十分な時間を与えるように経験上決定されている。前記コントローラ２８は、短いサイクルのカウンタ３６を参照して、コンプレッサ２０を変調するのに十分な時間が経過したかどうかを決定するように構成されている。
【００１９】
前記デログ/デフロストのカウンタ３８は、前のデログ/デフロスト期間が実行されてから、予め設定された経過期間に応答して、デログ/デフロスト動作を開始させるように設定されることができる(“delog/defrostcount”)。このdelog/defrostcountは、現在のデログ/デフロストサイクルの終了時にリセットされる。前記コンプレッサ２０が、予め設定されたデログ/デフロスト期間を超える所定の期間にわたって、オンの状態、並びに/若しくは、デューティーサイクルの状態のままである場合、前記デログ/デフロストのカウンタ３８は、このコンプレッサ２０のためのデログ/デフロストサイクルを開始させるように設定されている。最小限の動作において、前記デログ/デフロストのカウンタ３８は、デログ/デフロストサイクルを必要とするであろう。例えば、温度サイクルの最小点でデログ/デフロストサイクルを開始させるという試みである。さらに若しくは代わりに、前記コンプレッサ２０が、予め設定されたデログ期間を超える期間にわたって、オンの状態のままである場合、前記デログ/デフロストのカウンタ３８は、このコンプレッサ２０のためのデログ即ち停止期間を開始させるように設定されている。delog/defrostcountに従ったこの停止期間は、コンプレッサ２０内のオイルが液化する機会を与え、これによって、オイルの耐用寿命が延びるように経験上決定されている。場合によっては、氷の形成を制御するようなデフロストのシナリオが、コンプレッサの停止期間の目的であるかもしれない。特定の例において、前記デログ/デフロストのカウンタ３８は、オンの状態、並びに/若しくは８時間のデューティーサイクルのコンプレッサ２０に応答して、１０分間のオフ期間を開始させることができる。このようにして、システムのオイルを保護する程度の十分長い停止期間が基本的に保証される。
【００２０】
本発明のこのような、並びに/若しくは、異なる他の実施形態において、前記フリーザーサブユニット１２は、環境センサ４２と、ドアセンサ４４と、アラーム４８を備えた制御パネル４６とを有することができる。前記コントローラ２８は、これら環境センサ４２とドアセンサ４４とからの信号を受けるように構成されている。また、このコントローラ２８は、さらに、これら環境センサ４２とドアセンサ４４とから受け取った信号を、コンプレッサの動作に関連付けたり、これら信号を前記ログ３４にストアさせたりするように構成されている。このようにして、環境状態と、ドアの開成並びに/若しくは閉成イベントとが、前記コンプレッサの動作を開始させるように機能することができる。このようなデータは、また、コンプレッサのデューティーサイクルの決定を助けるために前記ログ３４に加えられ、１つ以上のセンサの故障によって温度のフィードバックが果たされない場合に使用されることができる。
【００２１】
前記制御パネル４６は、温度Tsetのような情報を入力する可能性を使用者に与えるように構成されている。これに関して、制御パネル４６と前記コントローラ２８とは、互いに伝送するように動作可能である。さらに、コントローラ２８は、感知された故障に応答してアラーム状態を開始させるように設定されている。例えば、前記キャビネットセンサ２４並びに/若しくは２６が故障すると、このコントローラ２８は、アラーム状態を開始させることができ、このアラーム４８は、視覚並びに/若しくは聴覚的な警告を発することができる。さらに、このアラーム状態は、所定の信号をネットワーク接続に伝送することを有することができる。
【００２２】
図２には、本発明の一実施形態に従ったフリーザーユニット１０を制御する方法５０が示されている。図２に示されているように、この方法５０は、フリーザーユニット１０が、工程５２で電源をオンにされるのに応答して開始されることができる。工程５４で、ログ３４が作成され、記憶装置３２にストアされることができる。
【００２３】
工程５６で、コンプレッサ２０内の頭部圧力が十分に低下するのを助けるために十分な時間が経過したかどうかが決定される。例えば、前記短いサイクルのカウンタ３６が参照されることができ、十分な時間が経過していないと、前記コントローラ２８は、十分な時間が経過するまで工程５８で待つことができる。そして、十分な時間が経過すると、工程６４でデログ/デフロストサイクルを行なう時間であるかどうかが決定される。例えば、前記コントローラ２８は、デログ/デフロストのカウンタ３８を参照することができ、このdelog/defrostcountが限度を超えている場合、デログ/デフロストサイクルが、工程６６で開始されることができる。知られたデログ/デフロストサイクルに類似した方法で、工程６６で開始されたデログ/デフロストサイクルは、エバポレーター１８のような、フリーザーユニット１０の構成部品を温めるように設定されている。この結果、構成部品上に形成されている氷は容易に溶かされ、並びに/若しくは、システムのオイルの状態は保護される。このデグロ/デフロストサイクルは、さらに、前記コンプレッサ２０内の頭部圧力が十分に低下するのを助けるために十分な時間が経過したかどうかを決定する工程を有している。
【００２４】
工程６８で、前記キャビネット１６内の環境に関連付けられたセンサの測定結果が受けられているかどうかが決定される。例えば、前記キャビネットセンサ２４が示す電圧の読み取り結果が１ミリボルト（“ｍＶ”）未満、若しくは１３０ｍＶよりも大きいと、センサ２４が故障したと決定され、かくして、適切でない温度が、センサ２４からの測定結果と相互関連され得る。また、前記キャビネットセンサ２６も故障した場合、かくして、コントローラ２８は、キャビネット１６内の環境に関連した測定結果を受け取っていないと決定されることができる。キャビネット１６内の環境に関連したセンサの測定結果が受け取られ、この測定結果が適切な温度に相互関連付けられると、前記コンプレッサ２０は、工程７０で、コントローラ２８によって通常の動作モードに変調されることができる。工程６８で、キャビネット１６内の環境に関連したセンサの測定結果が、受け取られていない、即ちエラーであることが決定された場合、前記ログ３４は、工程７２でアクセスされることができる。
【００２５】
工程７４で、前記ログ３４に関連したログ動作が、コンプレッサの予め設定された範囲の動作に関連しているかどうかが決定される。言い換えると、ログ動作は、コンプレッサの動作の予め設定された範囲内で評価される。ログ動作が、コンプレッサの動作の予め設定された範囲外であると、前記コンプレッサ２０は、工程７６で、ログ動作に基づいてコントローラ２８により変調されることができる。ログ動作が、コンプレッサの動作の予め設定された範囲外であると、コンプレッサ２０は、工程７８で、既定の動作に基づいてコントローラ２８により変調されることができる。工程７６若しくは７８におけるコンプレッサ２０の変調に従って、工程５６で、コンプレッサ２０内の頭部圧力が十分に低下するのを助けるために十分な時間が経過したかどうかが決定され得る。
【００２６】
工程７０で、前記コントローラ２８は、通常モードに従って、前記コンプレッサ２０を変調することができる。この通常モードは、一般的に、キャビネット１６内の温度を、予め設定された温度Tsetの範囲内に維持するのを容易にするように設定されている。これに関して、コントローラ２８は、キャビネットセンサ２４並びに/若しくは２６によって伝送、即ち送られた測定結果に基づいて、コンプレッサ２０を変調する。コンプレッサのこれら変調情報は、また、前記ログ３４にストアされる。このようにして、ログ３４はアップデートされ、通常のコンプレッサの動作に維持される。
【００２７】
工程８０で、イベントが起きたかどうかが決定される。例えば、ドアセンサ４４が、ドアの開成並びに/若しくは閉成イベントをコントローラ２８に伝送すると、イベントが起きたと決定されることができる。イベントが起きなかったと決定されると、工程５６で、コンプレッサ２０内の頭部圧力が十分に低下するのを助けるために十分な時間が経過したかどうかが決定されることができる。
【００２８】
工程８０で、イベントが起きたことが決定されると、イベントモードの動作が、工程８２で開始されることができる。このイベントモードにおいて、キャビネット１６内の所定の温度Tsetにほぼ維持、若しくは戻すために使用されるコンプレッサの動作状態は、イベントに関連付けられ、前記ログにストアされる。例えば、コンプレッサ２０を一時間変わらぬ状態に維持するように制御することは、キャビネットを、ドアの開成/閉成イベントの後に温度Tsetに戻すために十分である場合、コントローラ２８は、このデューティーサイクルをドアの開成/閉成イベントに関連付け、このイベントをログ３４に保存させることができる。このようにして、キャビネットセンサ２４，２６が故障している間にドアが開成並びに閉成されても、前のコンプレッサの動作に基づいた応答が、工程７６で、コンプレッサを制御するために用いられることができる。他の例において、環境温度が２６℃であるときに、オンの状態が１９分で、オフの状態が８分のデューティーサイクルが、温度Tsetを維持するために使用されると、このデューティーサイクルは、関連付けられた２６℃の環境温度で、ログ３４にストアされることができる。
【００２９】
以上の説明並びに図面は、本発明の目的、特徴、並びに効果を達成する好ましい実施形態の単なる例であり、本発明が、この例に限定されることを意味するものではない。請求項の精神並びに範囲内にある本発明のいかなる変更は、本発明の一部であると考えられる。
【図面の簡単な説明】
【００３０】
【図１】本発明の実施形態に従ったシステム構造である。
【図２】本発明の実施形態に従ったフローチャートである。
【図１】
2006524312.tif 000002
【図２】
2006524312.tif 000003
【国際調査報告】
2006524312.tif 000004
2006524312.tif 000005
2006524312.tif 000006